(57)【要約】【課題】  自然光に近い偏りのない分光分布曲線の出射光が得られる室内照明灯を提供し、演色性の向上を図る。【解決手段】  車両の内装材に設けられた開口２５に取付可能なハウジング２７にレンズ２９が固定された意匠部３１と、この意匠部３１に支持されることにより内装材２３の裏面側に配置され、かつ、光源３３を備える機能部３５とを具備した室内照明灯２１であって、光源３３とレンズ２９との間に、光源３３から出射される特定の波長範囲の光を弱める光波長フィルタ５１を設けた。【選択図】図１
2005271631.tif 000002
【特許請求の範囲】
【請求項１】
車両の内装材に設けられた開口に取付可能なハウジングにレンズが固定された意匠部と、
該意匠部に支持されることにより前記内装材の裏面側に配置され、かつ、光源を備える機能部とを具備した室内照明灯であって、
前記光源と前記レンズとの間に、前記光源から出射される特定の波長範囲の光を弱める光波長フィルタが設けられたことを特徴とする室内照明灯。
【発明の詳細な説明】
【技術分野】
【０００１】
本発明は、室内照明灯に関し、さらに詳しくは、出射光の演色性を向上させる改良技術に関する。
【背景技術】
【０００２】
車両には、逆光を遮るためのサンバイザが設けられているのが普通である。図５に示すように、このようなサンバイザ１の中には、バックミラーとは別に小型の化粧用ミラー（バニティミラー３）が設けられている場合がある。
【０００３】
このようにサンバイザ１にバニティミラー３が設けられている場合、夜間でもバニティミラー３を使用できるようにするため、図６に示すように、天井のフロントガラス寄りに室内照明灯５が設けられている場合がある。この室内照明灯５は、天井のほぼ中央に設けられているドームランプとは別個に設けられ、光源にフィラメントを採用したバルブ（電球）の用いられることが多い。
【０００４】
また、この室内照明灯５は、図７に示すように、サンバイザ１を天井側に折りたたんだときに、サンバイザ１によって隠される位置に設けられている。この室内照明灯５は、バニティミラー３を使用するときだけに用いるので、ドームミラーに比べて非常に小型である。
【０００５】
さらに、サンバイザ１のバニティミラー３には、スライドさせて開閉する図８に示すカバー７が設けられている場合がある。また、カバー７を開けたときに室内照明灯５が点灯するように構成されている場合がある。
【０００６】
そして、近年では、図９に示すように、バニティミラー３の近傍に室内照明灯５を付設し、カバー９を設けたサンバイザ１１も普及しており、特に、付加価値を高めた高級車種や、構造上ルームランプの設けられないコンバーティブルタイプの乗用車などに多用される傾向にある。
【０００７】
【特許文献１】特開２００２−６７７８９号公報
【特許文献２】特開２００２−２１８６３５号公報
【特許文献３】特開２００２−３４５１４３号公報
【特許文献４】特開平８−１３２８７３号公報
【発明の開示】
【発明が解決しようとする課題】
【０００８】
しかしながら、光源にフィラメントを採用した室内照明灯からの出射光は、可視光波長領域で波長ごとの成分に偏りの生じることが多い。
図１０は自然光（太陽光）の分光分布図、図１１はフィラメント光源からの出射光の分光分布図である。これらの分光分布図は光を波長成分に分け、波長ごとにその成分の量を並べたときの曲線で分光波長成分の分布を表している。図１１からも分るように、フィラメント光源からの出射光は、図１０に示した自然光に比べ、短波長領域の成分が少ない一方、長波長領域の成分が多く、光エネルギーが一様に含まれている自然光よりも物の見え方が不自然となる（すなわち、演色性の劣る）問題があった。したがって、室内照明灯を点灯すると、物が赤みを帯びて見え、特に青色の物が自然に見え難くなった。この結果、例えば、化粧が自然光下の場合と同様に行えない等の弊害が生じた。
本発明は上記状況に鑑みてなされたもので、自然光に近い偏りのない分光分布曲線の出射光が得られる室内照明灯を提供し、もって、演色性の向上を図ることを目的とする。
【課題を解決するための手段】
【０００９】
上記目的を達成するための本発明に係る室内照明灯は、車両の内装材に設けられた開口に取付可能なハウジングにレンズが固定された意匠部と、該意匠部に支持されることにより前記内装材の裏面側に配置され、かつ、光源を備える機能部とを具備した室内照明灯であって、前記光源と前記レンズとの間に、前記光源から出射される特定の波長範囲の光を弱める光波長フィルタが設けられたことを特徴とする。
【００１０】
この室内照明灯では、光源から出射された特定の波長範囲の光（例えば、フィラメントによる赤みを帯びた光）を多く含んだ出射光が光波長フィルタを通過すると、特定の波長範囲の光（例えば、赤みを帯びた光）が弱められた出射光へ変換され、特定の波長範囲の光量が多いことによる物の不自然な見え方（例えば、物が赤みを帯びて見える不自然な見え方）が改善される。
【発明の効果】
【００１１】
本発明に係る室内照明灯によれば、光源とレンズとの間に、光源から出射される特定の波長範囲の光を弱める光波長フィルタを設けたので、光源から出射された特定の波長範囲の光を多く含んだ出射光を光波長フィルタに通すことで、特定の波長範囲の光を弱めた出射光へ変換し、特定の波長範囲の光量が多いことによる物の不自然な見え方を改善することができる。この結果、演色性が向上して、自然光下と同様の色表現が可能となり、例えば、室内照明灯での化粧も自然に行えるようになる。
【発明を実施するための最良の形態】
【００１２】
以下、本発明に係る室内照明灯の好適な実施の形態を図面を参照して説明する。
図１は本発明に係る室内照明灯の実施の形態を表す断面図、図２は図１に示した室内照明灯の要部拡大図である。
本発明に係る実施形態の室内照明灯２１は、車両の天井トリム（内装材）２３に設けられた開口２５に取付可能なハウジング２７にレンズ２９が固定された意匠部３１と、この意匠部３１に支持されることにより天井トリム２３の裏面２３ａ側に配置され、かつ、光源であるバルブ（電球）３３を備える機能部３５とを有している。また、意匠部３１のハウジング２７には、クリップ３７が設けられている。機能部本体３９には、フラット電線４１を接続する圧接刃（図示せず）が設けられている。
【００１３】
この室内照明灯２１は、車両の天井トリム２３に取り付けられ、一方の側端部を中心として回転することにより開閉自在な図７に示したサンバイザ１によって隠れる位置に配置される。室内照明灯２１を点灯する場合は、サンバイザ１をフロントガラス側に開く。次に、サンバイザ１の天井トリム２３側の面に設けられた図８に示したカバー７を開く。そうすると、サンバイザ１に設けられている図５に示すバニティミラー３が露出される。これと同時に、室内照明灯２１が点灯され、バニティミラー３に映る画面を明瞭に見ることができるようになっている。
【００１４】
ところで、バルブ３３ａは、図２に示すように、フィラメント４３と、このフィラメント４３を覆いフィラメント４３からの光Ｌ１を透過させる保護部材４５とからなる。保護部材４５は、光Ｌ１に対して無色透明の材質からなる。図１１に示したフィラメント４３の発光により得られる所定の色度は、図１０に示した自然光に比べ、短波長領域の成分が少ない一方、長波長領域の成分が多く、光エネルギーが一様に含まれている自然光よりも物の見え方が不自然となる（すなわち、演色性が劣る）。具体的には、物が赤みを帯びて見え、特に青色の物が自然に見え難くなる。
【００１５】
ところで、色は、色相、彩度、明度の３要素によって定めることができる。ここで、色相は、色と同じ色感を起こすスペクトル単色光の波長で表される。彩度は、白・灰・黒色の混ざっている度合いで表される。明度は、眼に感じる光の強弱を示す量で表される。そして、色度は、明度を除いた光の色（すなわち、色相と彩度）の種別を数量的に規定したものとなっている。
【００１６】
図３は加色法におけるフィラメント光の色度を表す色度図である。
図３において、ｘはＲの割合を、ｙはＧの割合を示す。図には示していないが、ｚをＢの割合としたとき、常にｘ＋ｙ＋ｚ＝１の関係があるとしている。図中、ＷはＲ、Ｇ、Ｂの成分比が１：１；１である白色の色度の点を示し、この場合、座標は略ｘ＝０．３３、ｙ＝０．３３、（ｚ＝０．３３）となる。図に示すＷに近い領域ｆ０は実用上白色とみなされる領域となる。また、領域ｆ０から左側に外れた領域ｆ１は青又はＣ（シアン；明るい青色）系の中間色であり、右側に外れた領域ｆ２は赤又はＹ（イエロー）系の中間色であり、上側に外れた領域ｆ３は緑系の中間色であり、下側に外れたｆ４はＭ（マゼンタ；赤紫）系の中間色となる。フィラメント４３の色度は、赤又はＹ（イエロー）系の中間色である領域ｆ２の範囲に分布する。
【００１７】
本実施の形態では、バルブ３３とレンズ２９との間に、光波長フィルタ５１が設けられている。光波長フィルタ５１は、バルブ３３から出射される特定の波長範囲の光を弱めるように形成されている（すなわち、所定の色に着色されている）。より具体的に、この色は図３に示した青又はＣ（シアン；明るい青色）系の領域ｆ１、緑系の領域ｆ３の色となる。また。この色の着色は、透明基板に、インク層を塗布することにより、或いはガラス或いは透明な合成樹脂材に、着色剤を加えることによって行うことができる。
【００１８】
このようにして形成された光波長フィルタ５１は、例えばレンズ２９の内枠部２９ａに固定される。この固定は、内枠部２９ａに、段部や係止片からなる係止手段を形成したり、或いは接着剤を用いて行われる。この他、光波長フィルタ５１は、機能部本体３９に、バルブ３３のみを覆うようにして配設されるものであってもよい。
【００１９】
図４は光波長フィルタによって特定の波長範囲の光が弱められたフィラメント光源からの出射光を説明する分光分布図である。
本実施の形態において、光波長フィルタ５１は、図４に示すように、フィラメント４３からの出射光１３に含まれる赤みを帯びた光（特定の波長範囲の光）５３を弱める（赤みをおさえる）よう働く。すなわち、室内照明灯２１では、バルブ３３のフィラメント４３が発光すると、その発光Ｌ１は、光波長フィルタ５１を透過することで、本来のフィラメント４３とは色度の異なる波長成分の光に変換され、外部に照明光Ｌとして出射されることとなる。これにより、例えば要求される照明光Ｌの色度が白色であり、フィラメント４３の光の色度が白色からかなりずれた中間色の色度であっても、光波長フィルタ５１の特性を適切に設定することにより、白色又は略白色の照明光Ｌを出射させることができる。つまり、フィラメント光下での物の色調が、自然光１５下に近い色調に補正される。
【００２０】
上記の室内照明灯２１によれば、バルブ３３とレンズ２９との間に、バルブ３３から出射される特定の波長範囲の光を弱める光波長フィルタ５１を設けたので、バルブ３３から出射された特定の波長範囲の光を多く含んだ出射光が光波長フィルタ５１を通過すると、特定の波長範囲の光５３が弱められた出射光Ｌへ変換され、特定の波長範囲の光量が多いことによる物の不自然な見え方が改善される。この結果、演色性が向上して、自然光下と同様の色表現が可能となり、例えば、室内照明灯２１での化粧が自然に行えるようになる。また、従来のバルブ３３がそのまま使用でき、大幅な設計変更が不要となるので、容易に色補正が行えるとともに、製作コストを安価にすることができる。
【００２１】
なお、上記の実施の形態では、室内照明灯２１が天井トリム２３に設けられる場合を例に説明したが、本発明に係る室内照明灯は、図９に示したように、サンバイザ１に設けられるものであっても、上記の効果と同様の効果を奏するものである。
【図面の簡単な説明】
【００２２】
【図１】本発明に係る室内照明灯の第１の実施の形態を表す断面図である。
【図２】図１に示した室内照明灯の要部拡大図である。
【図３】フィラメント光の色度を表す色度図である。
【図４】光波長フィルタによって特定の波長範囲の光が弱められたフィラメント光源からの出射光を説明する分光分布図である。
【図５】バニティミラーを備えたサンバイザの正面図である。
【図６】室内照明灯が設けられたフロントガラス寄り天井部の断面図である。
【図７】サンバイザの折りたたまれた天井部の断面図である。
【図８】カバーの設けられたサンバイザの正面図である。
【図９】室内照明灯を付設したサンバイザの斜視図である。
【図１０】自然光（太陽光）の分光分布図である。
【図１１】フィラメント光源からの出射光の分光分布図である。
【符号の説明】
【００２３】
２１  室内照明灯
２３  天井トリム（内装材）
２５  開口
２７  ハウジング
２９  レンズ
３１  意匠部
３３  バルブ（光源）
３５  機能部
５１  光波長フィルタ
【図１】
2005271631.tif 000003
【図２】
2005271631.tif 000004
【図３】
2005271631.tif 000005
【図４】
2005271631.tif 000006
【図５】
2005271631.tif 000007
【図６】
2005271631.tif 000008
【図７】
2005271631.tif 000009
【図８】
2005271631.tif 000010
【図９】
2005271631.tif 000011
【図１０】
2005271631.tif 000012
【図１１】
2005271631.tif 000013